(57)【要約】  【課題】  画像伝送装置を構成する低雑音増幅素子が静電ノイズ等の混入、ヘリコプタの異常接近あるいは管制レーダ等の大電力出力の送信機の電波入力等の原因で破損するが、破損後の検査では、破損の原因が特定できない場合が多く、低雑音増幅素子の破壊を少なくする対策が取れない場合が多い。  【解決手段】  アンテナ部と、上記アンテナ部から入力される信号を分配する分配器と、上記分配器からの第１の信号を増幅して出力する増幅装置と、上記分配器からの第２の信号の変化を検出し、記憶するデータ処理装置とを有し、上記データ処理装置は、上記増幅装置を構成する増幅素子の破損電圧に基づいて設定される所定の基準レベルと上記第２の信号とを比較する比較部と上記比較部の出力を記憶する記憶部とから構成される。【選択図】  図１
2006186759.tif 000002
【特許請求の範囲】
【請求項１】
アンテナ部と、上記アンテナ部から入力される信号を分配する分配器と、上記分配器からの第１の信号を増幅して出力する増幅装置と、上記分配器からの第２の信号の変化を検出し、記憶するデータ処理装置とを有し、上記データ処理装置は、上記増幅装置を構成する増幅素子の破損電圧に基づいて設定される所定の基準レベルと上記第２の信号とを比較する比較部と上記比較部の出力を記憶する記憶部とから構成されることを特徴とする画像伝送装置。
【請求項２】
請求項１記載の画像伝送装置において、上記増幅装置は、上記第１の信号を増幅する増幅部と、上記第１の信号をバイパスするバイパス伝送路と、上記第１の信号を上記増幅部と上記バイパス伝送路のいづれか一方に供給する切替手段および上記切替手段を制御する切替制御部からなり、上記切替制御部は、上記データ処理装置によって制御されることを特徴とする画像伝送装置。
【請求項３】
アンテナ部と、上記アンテナ部から入力される信号を分配する分配器と、上記分配器からの第１の信号を増幅して出力する増幅装置と、上記分配器からの第２の信号の変化を検出し、記憶するデータ処理装置および表示部とからなる画像伝送装置において、上記増幅装置を構成する増幅素子の破損電圧に基づいて設定される所定の基準レベルと上記第２の信号とを比較し、上記比較結果を時刻情報と共に記憶し、上記記憶された比較結果を時刻情報と共に上記表示部に表示することを特徴とする画像伝送装置の異常状態表示方法。
【発明の詳細な説明】
【技術分野】
【０００１】
本発明は、画像伝送装置および画像伝送装置の異常状態表示方法に関し、特に、受信装置の過入力を検出する機能を有する画像伝送装置および画像伝送装置の異常状態表示方法に関するものである。
【背景技術】
【０００２】
テレビ放送等で使用される画像伝送装置、例えば、ＦＰＵ（Field Pickup Unit）装置は、テレビカメラ等で撮像された映像をスタジオのあるテレビ局まで伝送するために使用される。この場合、テレビカメラ等は、移動物体、例えば、報道車や上空からの取材のためにヘリコプタに搭載される場合が多く、移動しているテレビカメラ等から撮像された映像をＦＰＵで受信し、この映像信号をスタジオのあるテレビ局まで伝送する必要がある。また、スタジオのあるテレビ局では、アンテナは通常ビルの屋上等に設置されているため、このアンテナとスタジオ内の受信装置の間は１００ｍ以上のケーブルによって接続されている。
【０００３】
而して、テレビカメラ等で撮影された映像は、送信装置で画像データに変換され、更に、マイクロ波帯（３ＧＨｚ〜３０ＧＨｚの帯域）に変換され、ＦＰＵ受信機のマイクロ波用アンテナやテレビ局のマイクロ波用アンテナに送信される。これらアンテナで受信されたマイクロ波信号は、ＦＰＵ受信機あるいはスタジオ内の受信装置の高周波部で増幅され、その後、必要な信号処理が行われる。しかしながらアンテナと受信機の間が離れているような場合、例えば、テレビ局の場合、屋上等に設置されたアンテナからスタジオ内の受信装置の間は１００ｍ以上のケーブルによって接続されているので、アンテナでの受信電力がケーブルを伝送する間に大幅に減衰する。これを改善するためにアンテナの近傍に増幅部を設け、高周波信号を増幅してケーブルを介して受信装置に供給している。
【０００４】
従来の画像伝送装置の一例を図５を用いて説明する。図５は、画像伝送装置の概略構成を示すブロック図である。図５において、５０１は、テレビカメラ等で撮像された画像データが送信装置（図示せず。）から送られてくるマイクロ波を示す。このマイクロ波５０１は、マイクロ波アンテナ５０２で受信され、アイソレータ５０３を介して増幅部５０４に供給される。アイソレータ５０３は、インピータンスマッチングのためのもので、通常、マイクロ波アンテナ５０２からの信号が供給される画像伝送装置の入力インピータンスは、５０Ωに設定されている。増幅部５０４は、微弱のマイクロ波信号を増幅するための低雑音増幅素子、例えば、ＧａＡｓ（ガリューム・ヒソ）のような化合物半導体素子で構成され、例えば、２０ｄＢ程度増幅される。増幅部５０４で増幅された信号は、出力端子５０５からケーブル（図示せず。）等を介してＦＰＵ受信装置あるいはスタジオ内の受信装置に供給される。
【０００５】
而して、マイクロ波５０１が、通常、テレビカメラ等で撮像された画像データを所定の送信装置から送られてくるマイクロ波であれば、マイクロ波アンテナ５０２で適性に受信され、画像伝送装置で増幅されて受信装置に供給されるが、例えば、上空からの取材のためにヘリコプタに搭載されるテレビカメラで取材した画像信号がマイクロ波アンテナ５０２に直接マイクロ波で送信するような場合、ヘリコプタがマイクロ波アンテナ５０２に異常に接近するような場合が発生する。例えば、ヘリコプタとマイクロ波アンテナ５０２との間の通信距離は、数十Ｋｍ〜１００Ｋｍの範囲であるが、取材の関係で通信距離が２〜３Ｋｍのような距離まで異常に接近する場合がある。このような場合、マイクロ波アンテナ５０２で受信される電力は、ヘリコプタとマイクロ波アンテナ５０２との間の距離の２乗に反比例するので、異常に大きなレベルの信号が増幅部５０４に供給され、増幅部５０４を構成する低雑音増幅素子が破壊されると言う事態になる。また、増幅部５０４が破壊される原因としては、航空機の管制用のレーダがマイクロ波アンテナ５０２に入射し、破壊される場合もある。この増幅部５０４を構成する低雑音増幅素子は、例えば、数十万円もの極めて高価な素子であり、破壊されるたびに交換が必要になり、修理、保守、点検が極めて大きな問題である。この画像伝送装置の増幅部を構成する低雑音増幅素子は微弱信号を増幅する重要な素子であり、何等かの原因で破壊すると、番組等の放送が中断し、大変な問題となる。特に、公共放送のような番組放送では、なおさらのことである。
【０００６】
従来の画像伝送装置は、このような問題を有しているが、増幅部５０４を構成する低雑音増幅素子の破壊防止対策はなされていなかった。また、増幅部や周波数変換処理後に信号のレベル検出を行っているが、これは安定した信号レベルを得るための増幅部のＡＧＣ（Automatic Gain Control）であり、低雑音増幅素子が飽和するような高レベルな入力レベルの検出は、なされていないのが現状である。
【０００７】
最近の高周波用の低雑音増幅素子は、そのゲート構造が微細であるため、過大なレベルが入力されると簡単に破壊されることがあるが、運用時に過大なレベルが入力されたのか、電源ノイズ、静電ノイズの混入によるものか、また、上述のような原因で低雑音増幅素子が破壊したのかを後から低雑音増幅素子の検査をしても破壊原因が特定できないことが多い。従って、前述したような問題点を解決し、安価で故障原因が特定しやすい無線受信装置の実現が要望されている。
【０００８】
【特許文献１】特に発見されていない。
【発明の開示】
【発明が解決しようとする課題】
【０００９】
以上説明したように、例えば電源ノイズ、静電ノイズの混入による場合、送信機を搭載したヘリコプタが受信機に異常接近した場合、あるいは航空用の管制レーダ等の大電力出力の送信機の電波が入力した場合等の原因で低雑音増幅素子が破損するが、故障後の検査では、破壊の原因が特定できない場合が多く、低雑音増幅素子の破壊を少なくする等の対策が取れない場合が多い。また、破壊そのものを防止する等の対策がなく、これらの改善が望まれている。
【００１０】
本発明の目的は、画像伝送装置の増幅部の破壊原因を特定できる画像伝送装置および画像伝送装置の異常状態表示方法を提供することである。
【００１１】
本発明の他の目的は、画像伝送装置の増幅部の破損を防止できる画像伝送装置を提供することである。
【００１２】
本発明の更に他の目的は、画像伝送装置の増幅部の破壊原因を特定すると共に、画像伝送装置の管理データを収集できる画像伝送装置および画像伝送装置の異常状態表示方法を提供することである。
【課題を解決するための手段】
【００１３】
本発明の画像伝送装置は、アンテナ部と、上記アンテナ部から入力される信号を分配する分配器と、上記分配器からの第１の信号を増幅して出力する増幅装置と、上記分配器からの第２の信号の変化を検出し、記憶するデータ処理装置とを有し、上記データ処理装置は、上記増幅装置を構成する増幅素子の破損電圧に基づいて設定される所定の基準レベルと上記第２の信号とを比較する比較部と上記比較部の出力を記憶する記憶部とから構成される。
【００１４】
また、本発明の画像伝送装置において、上記増幅装置を構成する増幅素子の破損電圧に基づいて設定される所定の基準レベルは、上記アンテナ部から入力される信号のチャネル毎に設定される。
【００１５】
また、本発明の画像伝送装置において、上記データ処理装置は、タイマーを有し、上記記憶部は、上記比較部からの出力と上記タイマーからの時刻情報とを記憶するように構成される。
【００１６】
また、本発明の画像伝送装置において、上記増幅装置は、上記第１の信号を増幅する増幅部と、上記第１の信号をバイパスするバイパス伝送路と、上記第１の信号を上記増幅部と上記バイパス伝送路のいづれか一方に供給する切替手段および上記切替手段を制御する切替制御部からなり、上記切替制御部は、上記データ処理装置によって制御されるように構成される。
【００１７】
また、本発明の画像伝送装置において、上記データ処理装置は、上記第２の信号のレベルが上記所定の基準レベルを超えると、上記切替制御部を介して上記切替手段を制御し、上記バイパス伝送路を選択するように構成される。
【００１８】
更に、本発明は、アンテナ部と、上記アンテナ部から入力される信号を分配する分配器と、上記分配器からの第１の信号を増幅して出力する増幅装置と、上記分配器からの第２の信号の変化を検出し、記憶するデータ処理装置および表示部とからなる画像伝送装置において、上記増幅装置を構成する増幅素子の破損電圧に基づいて設定される所定の基準レベルと上記第２の信号とを比較し、上記比較結果を時刻情報と共に記憶し、上記記憶された比較結果を時刻情報と共に上記表示部に表示するように構成される。
【発明の効果】
【００１９】
以上説明したように、本発明によれば、例えば送信機を搭載したヘリコプタが受信機に異常接近したり、航空機の管制用レーダ等の大電力出力の送信機の電波を入力したなどの原因で低雑音増幅素子が破損したのか等、破損の原因が特定できる。また過大入力を受信した時刻情報を合わせて記憶することにより破損原因の特定も可能となり、破損防止対策等の装置の管理データの収集ができ、また、画像伝送装置の異常状態を時刻情報と共に表示することにより修理、保守、点検が容易となる。更に、入力電力を検出することにより低雑音増幅素子の破損を未然に防ぐ画像伝送装置を実現できる等の効果がある。
【発明を実施するための最良の形態】
【００２０】
図１は、本発明の一実施例の概略構成を示すブロック図である。図１において、１０１は、分配器または分波器、１０２は、検波器、１０３は、比較部、１０４は、ＣＰＵ（例えば、パソコン）、１０５は、基準電圧発生部、１０６は、記憶部、１０７は、表示部、１０８は、操作部および１０９は、タイマーである。分配器１０１は、周知のストリップラインで構成され、マイクロ波アンテナ５０２からの受信信号は、ここで分配され、第１の信号は、アイソレータ５０３を介して増幅部５０４に供給され、その一部の信号（第２の信号）は、検波器１０２に分配される。検波器１０２は、分配器１０１からの高周波信号を検波し、信号成分を取り出し、比較部１０３に供給する。比較部１０３は、検波器１０２の出力と基準電圧発生部１０５からの基準電圧と比較され、比較結果をＣＰＵ１０４の記憶部１０６に記憶する。なお、図５と同じものには同じ符号が付されている。
【００２１】
次に、図１の画像伝送装置の動作について説明する。初期段階として、基準電圧発生部１０５の基準電圧の設定を行うために、増幅部５０４は、非動作状態にしておく。そのためには、増幅器５０４の入力部にスイッチ（図示せず。）を設け、スイッチをＯＦＦにしておく。なお、低雑音増幅素子は、動作状態の有無によりインピーダンスが変化するがアイソレータ５０３を介することにより分配器１０１や検波器１０２の特性への影響を軽減することができる。
【００２２】
この状態でマイクロ波アンテナ５０２に入射するマイクロ波５０１の強度を実験的に変化させ検波器１０２の出力を比較器１０３に供給する。一方、ＣＰＵ１０４では、基準電圧発生部１０５を制御して所定の基準電圧を比較部１０３に供給する。増幅部５０４を構成する低雑音増幅素子の破損電圧は、低雑音増幅素子の仕様および動作条件等で前もって表示されているので、ＣＰＵ１０４は、基準電圧発生部１０５を制御して、例えば、基準電圧発生部１０５が低雑音増幅素子破壊可能電圧より所定レベル低い基準電圧を発生するように調整しておく。なお、マイクロ波アンテナ５０２で受信されるマイクロ波は、例えば、６ＧＨｚ、７ＧＨｚ、１０ＧＨｚ等の中心周波数で、それぞれ±５００ＭＨｚ巾の帯域を持つ複数のチャネルの信号が入力される。従って、それぞれ入力されるチャネル毎に基準電圧発生部１０５が低雑音増幅素子破壊可能電圧より所定レベル低い基準電圧を発生するように、ＣＰＵ１０４は、操作部１０８を操作して各チャネル毎に基準電圧発生部１０５を調整しておくことは勿論である。例えば、本発明で使用される低雑音増幅素子の破損電圧は、約１ｍＷ（０ｄＢ）である。従って、基準電圧発生部１０５から比較部１０３に供給される基準電圧Ｅは、１ｍＷより若干低い基準電圧、例えば、数％〜１０％程度低い基準電圧Ｅが供給されるように構成しておく。
【００２３】
このようにすると、比較部１０３の出力としては、例えば、検波器１０２の出力と基準電圧Ｅが比較され、その差分△Ｅが比較部１０３からＣＰＵ１０４に出力され、記憶部１０６に記憶される。また、検波器１０２の出力が基準電圧発生部１０５の基準電圧Ｅを超えると、反転した出力が比較部１０３からＣＰＵ１０４に出力され、記憶部１０６に記憶される。なお、基準電圧Ｅを低雑音増幅素子の破損電圧の数％〜１０％程度低い基準電圧Ｅとして説明したが、この基準電圧Ｅの設定は、低雑音増幅素子の破損電圧特性、あるいはマイクロ波アンテナ５０２で受信されるマイクロ波の特性、強度等に応じて適宜実験的に設定されることは言うまでもない。
【００２４】
以上のようにしてＣＰＵ１０４に各チャネル毎に対応する基準電圧Ｅを設定し、増幅器５０４の入力部のスイッチ（図示せず。）をＯＮし、画像伝送装置を動作させる。これについて図２を用いて説明する。図２は、例えば、テレビカメラを搭載したヘリコプタから映像信号をマイクロ波アンテナ５０２に送信した場合、ヘリコプタとマイクロ波アンテナ５０２との間の距離Ｄとマイクロ波の強さＷとの関係を示すＤ−Ｗ関係曲線である。このＤ−Ｗ関係曲線から明らかなようにヘリコプタがマイクロ波アンテナ５０２に近づくと、距離Ｄの２乗に反比例してマイクロ波の強さＷが大きくなる。そして、実験によれば、ヘリコプタとマイクロ波アンテナ５０２との間の距離Ｄが約２〜３Ｋｍ程度以内に近づくと、マイクロ波アンテナ５０２が受信するマイクロ波の強さＷが１ｍＷ（０ｄＢ）を超える強さになる。従って、低雑音増幅素子の破損電圧をＴＨ０とし、このＴＨ０より数％〜１０％程度低い基準電圧をＴＨ１とし、このＴＨ１を閾値とし、前述したように基準電圧発生部１０５の基準電圧Ｅを基準レベルＴＨ１に設定する。このように基準電圧発生部１０５の基準電圧Ｅを設定しておくと、ヘリコプタの移動に応じてマイクロ波アンテナ５０２に送信されるマイクロ波の強さＷが変化し、基準レベルＴＨ１との差分が比較部１０３の出力として記憶部１０６に記録される。
【００２５】
図３は、記憶部１０６に記録されているデータを、例えば、表示部１０７に表示させた場合の曲線Ｃを示している。図３において、縦軸は、マイクロ波アンテナ５０２に送信されるマイクロ波の強さＷと基準レベルＴＨ１との差分値ΔＥを示し、横軸は、記録された時間Ｔを示す。このＴは、タイマー１０９からの時間信号（時刻情報）が比較部１０６からの出力と共に記録されている。０で示すレベルは、基準レベルＴＨ１であり、このレベルより上のデータは、基準レベルＴＨ１より強いマイクロ波（―で示す。）が到来したことを示し、このレベルより下のデータは、基準レベルＴＨ１より弱いマイクロ波（＋で示す。）が到来したことを示す。即ち、レベル０以下の状態は、ヘリコプタの移動に応じてマイクロ波アンテナ５０２に送信されるマイクロ波の強さＷが距離に応じて変化している状態を示している。しかし、レベル０以上の状態は、低雑音増幅素子が破損される程度の強さのマイクロ波が到来したことを示している。これをＡ１、Ａ２、Ａ３、Ａ４で示す。この図３のデータを解析すると、例えば、Ａ１、Ａ２、Ａ４の各ピークは、所定の時間毎に繰返されているので、例えば、航空機の管制用レーダからの大電力のマイクロ波が到来したと判断できる。そして、ピークＡ３は、ヘリコプタが異常にマイクロ波アンテナ５０２に近づいたと判断できる。なお、画像伝送装置に使用されている増幅部５０４の低雑音増幅素子は、最初に到来したピークＡ１の時点で、破壊されるが、ＣＰＵ１０４は、正常に動作し、異常信号は、図３のようなデータとして蓄積し続けるので、事故後の解析に役立てることができる。また、画像データは、増幅部５０４が破損した時点で別の系統に切替えられ、伝送されるようになされている。
【００２６】
このようにマイクロ波アンテナ５０２に到来するマイクロ波の強さを基準レベルＴＨ１と比較し、記録部に記録する。そして、記録部に記録されているデータを時刻情報と共に表示部１０７に表示することにより画像伝送装置にどのようなマイクロ波が到来したかをその後の解析で分析でき、画像伝送装置のその後の設置に対して適宜対策を施すことが可能となる。また、到来するマイクロ波のデータと時間または時刻とを合わせて記録することにより異常が発生した時刻を特定できるので、異常発生の原因分析が容易となる。従って、記憶部１０６に記録されたデータは、画像伝送装置の修理、保守、点検等の管理に役立てることができる。
【００２７】
次に、本発明の他の一実施例を図４を用いて説明する。図１で説明した実施例は、画像伝送装置にどのようなマイクロ波が到来したかをその後の解析で分析でき、画像伝送装置のその後の設置に対して適宜対策を施す場合について説明した。図４では、図１に示す画像伝送装置を更に改良し、高価な増幅部５０４を構成する低雑音増幅素子の破損を事前に検出し、破損防止するための実施例を示している。
【００２８】
図４において、４０１は、減衰部、４０２は、スイッチ制御部または切替制御部、４０３および４０４は、バイパス伝送路、ＳＷ１、ＳＷ２、ＳＷ３、ＳＷ４は、切替スイッチを示す。なお、図１と同じものには同じ符号が付されている。以下、動作について説明する。マイクロ波アンテナ５０２に到来するマイクロ波は、分配器１０１でアイソレータ５０３と検波器１０２に分配される。即ち、第１の信号と第２の信号に分けられる。検波器１０２に分配されたマイクロ波信号（第２の信号）は、比較部１０３で基準電圧発生部１０５からの基準レベルＴＨ１と比較され、差分値ΔＥがＣＰＵ１０４の記憶部１０６に記憶される。これまでの動作は、図１の場合と同様である。
【００２９】
而して、ＣＰＵ１０４は、マイクロ波アンテナ５０２に到来するマイクロ波の強さと基準電圧レベルＴＨ１を比較した結果に基づいてスイッチ制御部４０２を制御する。この制御について説明する。まず、マイクロ波アンテナ５０２に到来するマイクロ波の強さと基準電圧レベルＴＨ１との差分ΔＥが＋、即ち、マイクロ波アンテナ５０２に到来するマイクロ波の強さが基準電圧レベルＴＨ１より小さい場合、スイッチ制御部４０２は、スイッチＳＷ１の端子ｂ、スイッチＳＷ２の端子ｄ、スイッチＳＷ３の端子ｅ、スイッチＳＷ４の端子ｇを接続するように制御する。その結果、アイソレータ５０３の出力（第１の信号）は、スイッチＳＷ１の端子ｂ、増幅部５０４、スイッチＳＷ２の端子ｄ、スイッチＳＷ３の端子ｅ、バイパス伝送路４０４、スイッチＳＷ４の端子ｇをそれぞれ経由して出力端子５０５から増幅された信号が出力される。
【００３０】
一方、マイクロ波アンテナ５０２に到来するマイクロ波の強さが基準電圧レベルＴＨ１を超える場合、即ち、比較部１０３の出力ΔＥが０レベルまたはそれを越えた場合、ＣＰＵ１０４は、スイッチ制御部４０２を制御し、スイッチＳＷ１、ＳＷ２、ＳＷ３、ＳＷ４を切替えるように制御する。即ち、アイソレータ５０３の出力（第１の信号）は、スイッチＳＷ１の端子ａ、バイパス伝送路４０３、スイッチＳＷ２の端子ｃ、スイッチＳＷ３の端子ｆ、減衰部４０１、スイッチＳＷ４の端子ｈをそれぞれ経由して出力端子５０５から信号が出力される。なお、減衰部４０１は、例えば、１０ｄＢ程度の減衰量を有しており、過大な信号をある程度減衰して次段の増幅部に影響しないようにレベルを下げ、出力端子５０５から、例えば、次段のＦＰＵの高周波増幅部に供給される。従って、基準電圧レベルＴＨ１を超えるようなマイクロ波がマイクロ波アンテナ５０２に到来した場合でも、この信号は、バイパス伝送路をバイパスし、直接増幅部５０４には供給されないので、増幅部５０４を構成する低雑音増幅素子の破損を防ぐことが可能となる。また、前述したように周期的なマイクロ波のピークは、航空機の管制用レーダからのマイクロ波であるとＣＰＵ１０４あるいは表示部１０７で判断出きるので、ＣＰＵ１０４は、スイッチ制御部４０２を制御し、または手動でスイッチＳＷ１をＯＦＦにして画像伝送装置や次段のＦＰＵ装置に異常信号が伝送されないようにすることもできる。また、上述した各実施例は、マイクロ波について説明したが、マイクロ波に限らず、異常を検出する場合の履歴を記憶し、装置を管理する場合の種々のシステムに適応することができることは勿論である。
【００３１】
以上、本発明について詳細に説明したが、本発明は、ここに記載された画像伝送装置および画像伝送装置の異常状態表示方法の実施例に限定されるものではなく、上記以外の画像伝送装置および画像伝送装置の異常状態表示方法に広く適応することが出来ることは、言うまでも無い。
【図面の簡単な説明】
【００３２】
【図１】本発明の一実施例の概略構成を示すブロック図である。
【図２】本発明の動作を説明するためのＤ−Ｗ関係曲線を示す図である。
【図３】本発明の動作を説明するための記憶部のデータの内容を示す図である。
【図４】本発明の他の一実施例の概略構成を示すブロック図である。
【図５】従来の画像伝送装置の一例を示すブロック図である。
【符号の説明】
【００３３】
１０１：分配器、１０２：検波器、１０３：比較部、１０４：ＣＰＵ、１０５：基準電圧発生部、１０６：記憶部、１０７：表示部、１０８：操作部、１０９：タイマー、４０１：減衰部、４０２：スイッチ制御部、４０３、４０４：バイパス線、５０１：マイクロ波、５０２：マイクロ波アンテナ、５０３：アイソレータ、５０４：増幅部、５０５：出力端子。
【図１】
2006186759.tif 000003
【図２】
2006186759.tif 000004
【図３】
2006186759.tif 000005
【図４】
2006186759.tif 000006
【図５】
2006186759.tif 000007